(57)【特許請求の範囲】
【請求項１】
重量部として、ポリオレフィン１００部と、反射防止改質剤０．３〜１．３部と、有機過酸化物０．４〜１．５部と、架橋促進剤０．３〜１．２部と、シランカップリング剤０．１〜１．０部と、可塑剤０．２〜１．１部と、酸化防止剤０．１〜１．０部と、紫外線吸収剤０．１〜０．６部と、光安定剤０．１〜０．６部とを含み、
前記反射防止改質剤が、二官能脂肪族ウレタンアクリレートプレポリマー、二官能エポキシアクリレートプレポリマー、二官能ポリエステルアクリレートプレポリマー、三官能ポリエーテルアクリレートプレポリマー、三官能脂肪族ウレタンアクリレートプレポリマー、四官能ポリエステルアクリル樹脂、四官能エポキシアクリレートプレポリマー、四官能ポリエーテルアクリレートプレポリマー、六官能脂肪族ウレタンアクリレートプレポリマー、六官能エポキシアクリレートのうち１種または２種以上の混合物であることを特徴とする反射防止可能なポリオレフィン太陽電池モジュール封止用接着フィルム。
【請求項２】
前記ポリオレフィンの物理的特性は、１９０℃におけるメルトインデックスが１５〜３５ｇ／１０ｍｉｎであり、溶融温度範囲が４０〜８０℃であることを特徴とする請求項１に記載の反射防止可能なポリオレフィン太陽電池モジュール封止用接着フィルム。
【請求項３】
前記有機過酸化物が、１，１−ビス（ｔ−ブチルパーオキシ）−３，３，５−トリメチルシクロヘキサン、１，１−ジ（ｔ−ブチルパーオキシ）シクロヘキサン、ｔ−ブチルパーオキシイソプロピルカーボネート、ｔ−ブチルペルオキシ−３，５，５−トリメチルヘキシルエステル、およびｔ−ブチルパーオキシ−２−エチルヘキシルカーボネートのうち１種または２種以上の混合物であることを特徴とする請求項１に記載の反射防止可能なポリオレフィン太陽電池モジュール封止用接着フィルム。
【請求項４】
前記架橋促進剤が、ｐ−エチレンジアミンテトラメチレンホスホン酸、ジペンタエリスリトールペンタアクリレート、ジベンゾイルキノンジオキシム、メチルメタクリレート、エチレングリコールジメタクリレート、トリエチレングリコールジメタクリレート、トリ（メチルアクリロイルメテニル）プロパン、ジアリルフタレート、トリアリルシアヌレート、テトラアリロキシエタン、ジアリルマレエート、トリメチロールプロパントリメタクリレート、ビス（プロペン酸）２−［［２，２−ビス［［（１−オキソ−２−プロペニル）オキシ］メチル］ブトキシ］メチル］−２−エチル−１，３−プロパンジイルのうち１種または２種以上の混合物であることを特徴とする請求項１に記載の反射防止可能なポリオレフィン太陽電池モジュール封止用接着フィルム。
【請求項５】
前記シランカップリング剤が、３−アミノプロピルトリエトキシシラン、３−グリシジルオキシプロピルトリメトキシシラン、３−メタクリロキシプロピルトリメトキシシラン、Ｎ−（２−アミノエチル）−３−アミノプロピルトリメトキシシランのうち１種または２種以上の混合物であることを特徴とする請求項１に記載の反射防止可能なポリオレフィン太陽電池モジュール封止用接着フィルム。
【請求項６】
ポリオレフィと、反射防止改質剤と、有機過酸化物と、架橋促進剤と、シランカップリング剤と、可塑剤と、酸化防止剤と、紫外線吸収剤と、光安定剤とを配合比で秤量する工程（１）と、
工程（１）で秤量した原料を高速ミキサーに加えて予混合化を行い、プレミックスを得、その後、得られたプレミックスを単軸スクリュー流延機に供給し、流延して封止用接着フィルムを形成する工程（２）と、
を含み、
前記工程（２）において、前記単軸スクリュー流延機の制御パラメータは、シリンダーの各セグメントの温度範囲が４０〜８０℃であり、ダイの各セグメントの温度範囲が６０〜１００℃であり、スクリーンチェンジャー、コネクター、及びエルボの温度が６０〜１００℃であり、主モーターの回転速度が１００−３００ｒ／ｍｉｎであり、エンボスローラーおよび冷却ロールの引出速度および巻取速度が１〜５ｍ／ｍｉｎであることを特徴とする請求項１ないし５のいずれかに記載の反射防止可能なポリオレフィン太陽電池モジュール封止用接着フィルムの製造方法。
【請求項７】
前記工程（２）において、前記高速ミキサーの回転速度が８００〜１２００ｒ／ｍｉｎであり、混合時間が２０ｍｉｎであることを特徴とする請求項６に記載の反射防止可能なポリオレフィン太陽電池モジュール封止用接着フィルムの製造方法。
【発明の詳細な説明】
【技術分野】
【０００１】
本発明は、封止用接着フィルム、特に、反射防止可能なポリオレフィンの太陽電池モジュール封止用接着フィルムおよびその製造方法に関し、太陽電池モジュール封止用接着フィルムの分野に属するものである。  
【背景技術】
【０００２】
従来の結晶シリコン太陽電池モジュールの構造は、カバーガラス／封止用接着フィルム／結晶シリコン電池シート／封止用接着フィルム／バックプレートの５層構造である。封止用接着フィルムは、結晶シリコン太陽電池モジュールの重要な構成部分であり、カバーガラスと電池シート、及び電池シートとバックプレートを接着する役割を果たすものである。従来の太陽電池モジュール封止用接着フィルムはＥＶＡシートであるが、高温条件の下でＥＶＡを加水分解することにより酢酸が生成しやすいために、電池シートがある程度腐食され、かつ、ＥＶＡは経年劣化により黄変が著しくなり、特にＰＩＤ現象が存在する。  
【０００３】
クリーンエネルギーが注目され、太陽電池産業が急速に発展されたが、太陽電池モジュール封止用接着フィルムにもより高い性能が要求された。その要求に応じて、新世代のポリオレフィンの太陽電池モジュール封止用接着フィルムが製造された。ポリオレフィンの太陽電池モジュール封止用接着フィルムの基材は、その化学的性質が非極性であるため、非常に高い水蒸気バリア特性を有し、ＥＶＡよりも耐熱性が良く、かつ、加水分解により酢酸が生成することがないため、電池シートを腐食しない。より重要なことは、ポリオレフィン材料にはＰＩＤ現象が発生しない。要するに、ポリオレフィンの太陽電池モジュール封止用接着フィルムは、ＥＶＡの太陽電池モジュール封止用接着フィルムに比べられない優れた特性を有するが、市販されているポリオレフィンの太陽電池モジュール封止用接着フィルムはその光透過率がＥＶＡの太陽電池モジュール封止用接着フィルムよりもやや低く、太陽電池モジュールの光電変換効率があまりよくないため、ポリオレフィンの太陽電池モジュール封止用接着フィルムを広く利用するには限りがある。  
【発明の概要】
【発明が解決しようとする課題】
【０００４】
本発明の目的は、従来技術の欠点を克服するために、反射防止可能なポリオレフィンの太陽電池モジュール封止用接着フィルムおよびその製造方法を提供し、反射防止添加剤を添加してポリオレフィンの太陽電池モジュール封止用接着フィルムの光透過性を向上することによって、太陽電池モジュールの光電変換効率を向上させ、太陽電池モジュールの要求をより良く満たすことができる。  
【課題を解決するための手段】
【０００５】
上記目的を達成するために、本発明は、以下の技術手段を提供する。  
即ち、本発明は、重量部として、ポリオレフィン１００部と、反射防止改質剤０．３〜１．３部と、有機過酸化物０．４〜１．５部と、架橋促進剤０．３〜１．２部と、シランカップリング剤０．１〜１．０部と、可塑剤０．２〜１．１部と、酸化防止剤０．１〜１．０部と、紫外線吸収剤０．１〜０．６部と、光安定剤０．１〜０．６部とを含むことを特徴とする反射防止可能なポリオレフィン太陽電池モジュール封止用接着フィルムを提供する。  
【０００６】
好ましくは、前記ポリオレフィンの物理的特性は、１９０℃におけるメルトインデックスが１５〜３５ｇ／１０ｍｉｎであり、溶融温度範囲が４０〜８０℃である。  
【０００７】
好ましくは、前記反射防止改質剤が、二官能脂肪族ウレタンアクリレートプレポリマー、二官能エポキシアクリレートプレポリマー、二官能ポリエステルアクリレートプレポリマー、三官能ポリエーテルアクリレートプレポリマー、三官能脂肪族ウレタンアクリレートプレポリマー、四官能ポリエステルアクリレート樹脂、四官能エポキシアクリレートプレポリマー、四官能ポリエーテルアクリレートプレポリマー、六官能脂肪族ウレタンアクリレートプレポリマー、六官能エポキシアクリレートプレポリマーのうち１種または２種以上の混合物である。  
【０００８】
好ましくは、前記有機過酸化物が、１，１−ビス（ｔ−ブチルパーオキシ）−３，３，５−トリメチルシクロヘキサン、１，１−ビス（ｔ−ブチルパーオキシ）シクロヘキサン、ｔ−ブチルパーオキシイソプロピルカーボネート、ｔ−ブチルペルオキシ−３，５，５−トリメチルヘキシルエステル、およびｔ−ブチルパーオキシ−２−エチルヘキシルカーボネートのうち１種または２種以上の混合物である。  
【０００９】
好ましくは、前記架橋促進剤が、ｐ−エチレンジアミンテトラメチレンホスホン酸、ジペンタエリスリトールペンタアクリレート、ジベンゾイルキノンジオキシム、メチルメタクリレート、エチレングリコールジメタクリレート、トリエチレングリコールジメタクリレート、トリ（メチルアクリロイルメテニル）プロパン、ジアリルフタレート、トリアリルシアヌレート、テトラアリロキシエタン、マレイン酸ジアリル、トリメチロールプロパントリメタクリレート、ビス（プロペン酸）２−［［２，２−ビス［［（１−オキソ−２−プロペニル）オキシ］メチル］ブトキシ］メチル］−２−エチル−１，３−プロパンジイルのうち１種または２種以上の混合物である。  
【００１０】
好ましくは、前記シランカップリング剤が、３−アミノプロピルトリエトキシシラン、３−グリシジルオキシプロピルトリメトキシシラン、３−メタクリロキシプロピルトリメトキシシラン、Ｎ−（２−アミノエチル）−３−アミノプロピルトリメトキシシランのうち１種または２種以上の混合物である。  
【００１１】
好ましくは、前記可塑剤、酸化防止剤、紫外線吸収剤、光安定剤が常用の種類のうちの１種または２種以上の混合物である。  
【００１２】
本発明は、ポリオレフィと、反射防止改質剤と、有機過酸化物と、架橋促進剤と、シランカップリング剤と、可塑剤と、酸化防止剤と、紫外線吸収剤と、光安定剤とを配合比で秤量する工程（１）と、工程（１）で秤量した原料を高速ミキサーに加えて予混合化を行い、プレミックスを得、その後、そのプレミックスを単軸スクリュー流延機に供給し、流延して封止用シートを形成する工程（２）とを含むことを特徴とする反射防止可能なポリオレフィン太陽電池モジュール封止用接着フィルムの製造方法を提供する。  
【００１３】
好ましくは、前記工程（２）において、前記高速ミキサーの回転速度が８００〜１２００ｒ／ｍｉｎであり、混合時間が２０ｍｉｎである。  
好ましくは、前記工程（２）において、前記単軸スクリュー流延機の制御パラメータは、シリンダーの各セグメントの温度範囲が４０〜８０℃であり、ダイの各セグメントの温度範囲が６０〜１００℃であり、スクリーンチェンジャーや、コネクター、エルボの温度が６０〜１００℃であり、主モーターの回転速度が１００−３００ｒ／ｍｉｎであり、エンボスローラーおよび冷却ロールの引出速度および巻取速度が１〜５ｍ／ｍｉｎである。  
【発明の効果】
【００１４】
本発明は、以下の利点を有する。  
本発明は、活性官能基を有するアクリレートプレポリマーの反射防止改質剤を添加することによって、ポリオレフィンの太陽電池モジュール封止用接着フィルムの光透過率を向上させる。ポリオレフィンは、ある程度の結晶化度を有する半結晶性樹脂である。結晶化度が高いほど、光透過率が悪い。本発明のポリオレフィンは、エチレンとブテンまたはオクテンとの共重合体であり、規則的非極性の構造を有し、その結果、光透過率が低くなる。一方、太陽電池モジュール封止用接着フィルムは、材料の透過性への要求が高い。反射防止添加剤が活性官能基を有し、接着フィルムに化学的架橋反応をさせ、ポリオレフィンの規則的結晶化構造を崩壊させ、架橋密度を向上させ、接着フィルムの架橋率を高めることができ、そして、ポリオレフィンの封止用接着フィルムの光透過率を根本的に向上させる。本発明は、反射防止添加剤を添加して、ポリオレフィンの太陽電池モジュール封止用接着フィルムの光透過性を向上させることで、太陽電池モジュールの光電変換効率を向上させ、太陽電池モジュールの要求をさらに満たすことができる。  
【図面の簡単な説明】
【００１５】
【図１】実施例の接着フィルム２および市販のＥＶＡおよびポリオレフィン接着フィルムの光透過率を示すグラフである。
【発明を実施するための形態】
【００１６】
以下、実施例により本発明をより具体的に説明するが、本発明はこれらの実施例に限定されるものではない。  
【００１７】
実施例１：  
本実施例に係る反射防止可能なポリオレフィンの太陽電池モジュール封止用接着フィルム（接着フィルム１と略称する）は、重量部として、ポリオレフィン１００部と、４官能ポリエーテルアクリレートプレポリマー０．３部と、１，１−ジ−（ｔ−ブチルパーオキシ）シクロヘキサン１．５部と、トリメチロールプロパントリメタクリレート０．７部と、Ｎ−（２−アミノエチル）−３−アミノプロピルトリメトキシシラン０．１部と、フタル酸ジイソオクチル０．９部と、２，６−ジ−ｔ−ブチル−ｐ−クレゾール０．４部と、４−ベンゾイルオキシ−２，２，６，６−テトラメチルピペリジン０．６部と、Ｎ，Ｎ'−ビス（２，２，６，６−テトラメチル−４−ピペリジニル）−１，６−ヘキサンジアミン０．２部とを含む。  
【００１８】
その製造方法は、ポリオレフィン１００部、４官能ポリエーテルアクリレートのプレポリマー０．３部、１，１−ジ−（ｔ−ブチルパーオキシ）シクロヘキサン１．５部、トリメチロールプロパントリメタクリレート０．７部、Ｎ−（２−アミノエチル）−３−アミノプロピルトリメトキシシラン０．１部、フタル酸ジイソオクチル０．９部、２，６−ジ−ｔ−ブチル−ｐ−クレゾール０．４部、４−ベンゾイルオキシ−２，２，６，６−テトラメチルピペリジン０．６部、Ｎ，Ｎ'−ビス（２，２，６，６−テトラメチル−４−ピペリジニル）−１，６−ヘキサンジアミン０．２部を高速ミキサーに添加して２０ｍｉｎで予混合し、次いで得られたプレミックスを単軸スクリュー流延機に供給し、所定のプロセスパラメーターによって流延して接着フィルム１を形成する。  
【００１９】
上記高速ミキサーの回転速度が８００〜１２００ｒ／ｍｉｎであり、上記単軸スクリュー流延機の制御パラメータとして、シリンダーの温度範囲が４０〜８０℃であり、ダイの各セクションの温度が６０〜１００℃であり、スクリーンチェンジャーや、コネクター、エルボの温度が６０〜１００℃であり、主モーターの回転速度が１００−３００ｒ／ｍｉｎであり、エンボスローラーおよび冷却ロールの引出速度および巻取速度が１〜５ｍ／ｍｉｎである。  
【００２０】
実施例２：  
本実施例に係る反射防止可能なポリオレフィンの太陽電池モジュール封止用接着フィルム（接着フィルム２と略称する）は、重量部として、ポリオレフィン１００部と、六官能脂肪族ポリウレタンアクリレートのプレポリマー０．８部と、１，１−ビス（ｔ−ブチルパーオキシ）−３，３，５−トリメチルシクロヘキサン０．８部と、トリアリルイソシアヌレート１．２部と、３−グリシジルオキシプロピルトリメトキシシラン０．５部と、セバシン酸ジイソノクチル１．１部と、３−（３，５−ジ−ｔ−ブチル−４−ヒドロキシフェニル）プロピオン酸ステアリル０．１部と、２−（２'−ヒドロキシ−３'，５'−ジ−ｔ−フェニル）−５−クロロベンゾトリアゾール０．２部と、セバシン酸ビス（２，２，６，６−テトラメチル−４−ピペリジル）０．３部とを含む。  
【００２１】
その製造方法は、ポリオレフィン１００部、六官能脂肪族ポリウレタンアクリレートのプレポリマー０．８部、１，１−ビス（ｔ−ブチルパーオキシ）−３，３，５−トリメチルシクロヘキサン０．８部、トリアリルイソシアヌレート１．２部、３−グリシジルオキシプロピルトリメトキシシラン０．５部、セバシン酸ジイソノクチル１．１部、３−（３，５−ジ−ｔ−ブチル−４−ヒドロキシフェニル）プロピオン酸ステアリル０．１部、２−（２'−ヒドロキシ−３'，５'−ジ−ｔ−フェニル）−５−クロロベンゾトリアゾール０．２部、セバシン酸ビス（２，２，６，６−テトラメチル−４−ピペリジル）０．３部を高速ミキサーに添加して２０ｍｉｎで予混合し、次いで、得られたプレミックスを単軸スクリュー流延機に供給し、所定のプロセスパラメーター（実施例１と同じ）によって流延して接着フィルム２を形成する。  
【００２２】
実施例３：  
本実施例に係る反射防止可能なポリオレフィンの太陽電池モジュール封止用接着フィルム（以下、接着フィルム３と略称する）は、重量部として、ポリオレフィン１００部と、４官能ポリエステルアクリレートのプレポリマー１．３部と、ｔ−ブチルパーオキシイソプロピルカーボネート０．４部と、トリメチロールプロパントリメタクリレート０．９部と、３−メタクリロキシプロピルトリメトキシシラン１．０部と、フタル酸ジオクチル０．２部と、ビス（２，４−ジ−ｔ−ブチルフェニル）ペンタエリスリトールジホスファイト０．６部と、２−ヒドロキシ−４−ｎ−オクチルオキシベンゾフェノン０．３部と、セバシン酸ビス（２，２，６，６−テトラメチル−４−ピペリジル）０．１部と、を含む。  
【００２３】
その製造方法は、ポリオレフィン１００部、４官能ポリエステルアクリレートのプレポリマー１．３部、ｔ−ブチルパーオキシイソプロピルカーボネート０．４部、トリメチロールプロパントリメタクリレート０．９部、３−メタクリロキシプロピルトリメトキシシラン１．０部、フタル酸ジオクチル０．２部、ビス（２，４−ジ−ｔ−ブチルフェニル）ペンタエリスリトールジホスファイト０．６部、２−ヒドロキシ−４−ｎ−オクチルオキシベンゾフェノン０．３部、セバシン酸ビス（２，２，６，６−テトラメチル−４−ピペリジル）０．１部を高速ミキサーに添加して２０ｍｉｎで予混合し、次いで得られたプレミックスを単軸スクリュー流延機に供給し、所定のプロセスパラメーター（実施例１と同じ）によって流延して接着フィルム３を形成する。  
【００２４】
実施例４：  
本実施例に係る反射防止可能なポリオレフィンの太陽電池モジュール封止用接着フィルム（以下、接着フィルム４と略称する）は、重量部として、ポリオレフィン１００部と、二官能エポキシアクリレートのプレポリマー１．０部と、１，１−ジ−ｔ−ブチルペルオキシ−３，３，５−トリメチルシクロヘキサン１．１部と、エチレングリコールジメタクリレート０．３部と、３−グリシジルオキシプロピルトリメトキシシラン０．７部と、ジオクチルアジペート０．５部と、２，６−ジ−ｔ−ブチル−ｐ−クレゾール １．０部と、２，４−ジヒドロキシベンゾフェノン０．１部と、Ｎ，Ｎ'−ビス（２，２，６，６−テトラメチル−４−ピペリジニル）−１，６−ヘキサンジアミン０．６部とを含む。  
【００２５】
その製造方法は、ポリオレフィン１００部、二官能エポキシアクリレートのプレポリマー１．０部、１，１−ジ−ｔ−ブチルペルオキシ−３，３，５−トリメチルシクロヘキサン１．１部、エチレングリコールジメタクリレート０．３部、３−グリシジルオキシプロピルトリメトキシシラン０．７部、ジオクチルアジペート０．５部、２，６−ジ−ｔ−ブチル−ｐ−クレゾール１．０部、２，４−ジヒドロキシベンゾフェノン０．１部、Ｎ，Ｎ'−ビス（２，２，６，６−テトラメチル−４−ピペリジニル）−１，６−ヘキサンジアミン０．６部を高速ミキサーに添加して２０ｍｉｎで予混合し、次いで得られたプレミックスを単軸スクリュー流延機に供給し、所定のプロセスパラメーター（実施例１と同じ）によって流延して接着フィルム４を形成する。  
【００２６】
なお、接着フィルム１、接着フィルム２、接着フィルム３、接着フィルム４の性能の測定方法は、以下の通りである。  
【００２７】
［１］  光透過率は、ＧＢ／Ｔ２４１０規格によって測定されたものである。  
［２］  耐湿熱性は、ＧＢ／Ｔ２４０９規格によって測定されたものである。  
［３］  体積抵抗率は、ＧＢ／Ｔ１４１０規格によって測定されたものである。  
［４］  ピール強度は、１ＧＢ／Ｔ２７９０規格によって測定されたものである。  
［５］  収縮率は、Ｑ／ＬＳＸＣ２規格によって測定されたものである。即ち、  
接着フィルムをオーブンに入れて、１２１℃で、３ｍｉｎで乾燥して、縦方向の収縮率を測定する。そして、その平均値及び最大値を取る。  
［６］  架橋率は、Ｑ／ＬＳＸＣ２規格によって測定されたものである。即ち、  
キシレンで接着フィルムの未架橋部分を抽出し、抽出前後の接着フィルムの重量差を架橋率として測定する。測定条件は、抽出温度１５０℃、抽出時間８ｈ、乾燥温度１４０℃、乾燥時間３ｈである。  
【００２８】
上記の実施例１〜４のポリオレフィンの太陽電池モジュール封止用接着フィルムおよび市販のＥＶＡ太陽電池モジュール封止用接着フィルムを上記方法で測定し、その結果を製品の基本性能として表１で示す。ラミネートプロセスは、ラミネート温度１４０℃、抽気時間６ｍｉｎ、加圧時間１ｍｉｎ、保圧時間１０ｍｉｎで行われる）。  
【００２９】
【表１】
0006555730.tif 000002
【００３０】
図１から分かるように、本発明に係るポリオレフィンの太陽電池モジュール封止用接着フィルムは、市販のポリオレフィンの太陽電池モジュール封止用接着フィルムより高い光透過率を有し、市販のエチレン−酢酸ビニル共重合体（ＥＶＡ）と同等のレベルに達することができる。  
【００３１】
実施例の接着フィルム１〜４、又は従来のポリオレフィンの太陽電池モジュール封止用接着フィルム、又は市販のＥＶＡ封止用接着フィルムと、カバーガラスと、結晶シリコン電池シートと、バックプレートとを、自動ラミネーターにて、１４８℃でラミネートして、太陽電池モジュールを形成する。ここで、太陽電池モジュールは６×１０個の多結晶シリコン電池シートからなり、電池シートはＰ型ポリシリコンであり、セルサイズは規格として１５６ｍｍ×１５６ｍｍである。  
【００３２】
前記の太陽電池モジュールに対してパワーテストを行い、表２にその測定結果を示す。表２から分かるように、反射防止改質されたポリオレフィンの太陽電池モジュール封止用接着フィルムからなる太陽電池モジュールの平均パワーは２５０．２６Ｗであり、市販のポリオレフィンの太陽電池モジュール封止用接着フィルムからなる太陽電池モジュールの平均パワー２４８．１２Ｗより２．１４Ｗ高く、市販のＥＶＡ太陽電池モジュール封止用接着フィルムからなる太陽電池モジュールの平均パワー２４９．９７Ｗより０．２９Ｗ高い。  
【００３３】
【表２】
0006555730.tif 000003
【００３４】
当業者であれば、前記の技術手段および概念によって様々な変更や修正を行うことができ、これらの変更や修正は全て本発明の特許請求の範囲に属する。
【符号の説明】
【００３５】
１  市販のＥＶＡの光透過率曲線
２  実施例の接着フィルム２の光透過率曲線
３  ポリオレフィン接着フィルムの光透過率曲線
【図１】
0006555730.tif 000004